(57)【要約】【課題】専用の眼鏡を着用する等の特別な準備をしなくても、表示画面を見た人に立体的な視覚感を与え、臨場感に富む表示を実現する。【解決手段】複数の画像を、それぞれ異なる特定の方向からのみ視認可能なように表示画面に同時に表示する表示装置２において、同一の表示対象を異なる視座から見た複数の画像を、各々の画像の視座から表示対象を見た方向と、表示画面に表示された各々の画像を表示画面外から視認できる目視方向ＥＲ、ＥＬとが重なるように表示させる。【選択図】図１
2009186540.tif 000002
【特許請求の範囲】
【請求項１】
複数の画像を、それぞれ異なる特定の方向からのみ視認可能なように表示画面に同時に
表示する表示装置に接続され、
同一の表示対象を異なる視座から見た複数の画像を相互に対応づけて記憶する記憶手段
と、
前記記憶手段に相互に対応づけて記憶した複数の画像を、前記表示装置により表示させ
る表示制御手段と、を備え、
前記表示制御手段は、複数の前記画像を、各々の前記画像の視座から前記表示対象を見
た方向と、前記表示画面に表示された各々の前記画像を前記表示画面外から視認できる方
向とが重なるように、前記表示装置により表示させること、
を特徴とする表示制御装置。
【請求項２】
前記表示装置は、それぞれ水平方向に異なる特定の方向からのみ視認可能なように複数
の画像を表示画面に同時に表示するものであり、
前記記憶手段は、同一の表示対象を水平方向に異なる視座から見た複数の画像を相互に
対応づけて記憶するものであること、
を特徴とする請求項１記載の表示制御装置。
【請求項３】
前記表示装置が、この前記表示装置を右方向及び左方向から見た場合に異なる画像が視
認されるよう２つの画像を同時に表示するものであり、
前記表示制御装置は、同一の表示対象を右方向及び左方向から見た２つの画像を、それ
ぞれ、前記表示画面を右方向及び左方向から見た場合に視認可能となるように、前記表示
装置により表示させること、
を特徴とする請求項２記載の表示制御装置。
【請求項４】
外部の記録媒体に記録された画像を読み取る読取手段と、
前記読取手段により読み取った画像が、同一の表示対象を異なる視座から見た複数の画
像である場合に、これら複数の画像を前記記憶手段に相互に対応づけて記憶させる記憶制
御手段と、
を備えることを特徴とする請求項１から３のいずれかに記載の表示制御装置。
【請求項５】
複数の画像を、それぞれ異なる特定の方向からのみ視認可能に表示する表示装置と、前
記表示装置に接続された表示制御装置と、を備えて構成され、
前記表示制御装置は、
同一の表示対象を異なる視座から見た複数の画像を相互に対応づけて記憶する記憶手段
と、
前記記憶手段に相互に対応づけて記憶した複数の画像を、前記表示装置により表示させ
る表示制御手段と、を備え、
前記表示制御手段は、複数の前記画像を、各々の前記画像の視座から前記表示対象を見
た方向と、前記表示画面に表示された各々の前記画像を前記表示画面外から視認できる方
向とが重なるように、前記表示装置により表示させること、
を特徴とする表示システム。
【請求項６】
複数の画像を、それぞれ異なる特定の方向からのみ視認可能に表示する表示装置と、
一つの撮影対象を異なる撮影方向から撮影する撮影装置と、
前記撮影装置により撮影された撮影画像を撮影方向毎に出力する撮影制御装置と、
前記撮影制御装置から出力された撮影画像を取得して前記表示装置に表示させる表示制
御装置と、を備え、
前記表示制御装置は、複数の前記撮影画像を、各々の前記撮影画像の撮影方向と、前記
表示画面に表示された各々の前記画像を前記表示画面外から視認できる方向とが重なるよ
うに、前記表示装置により表示させること、
を特徴とする撮影表示システム。
【請求項７】
複数の画像を、それぞれ異なる特定の方向からのみ視認可能なように表示画面に同時に
表示する表示装置における表示制御方法であって、
同一の表示対象を異なる視座から見た複数の画像を、各々の前記画像の視座から前記表
示対象を見た方向と、前記表示画面に表示された各々の前記画像を前記表示画面外から視
認できる方向とが重なるように、前記表示装置により表示させること、
を特徴とする表示制御方法。
【発明の詳細な説明】
【技術分野】
【０００１】
本発明は、それぞれ異なる特定の方向からのみ視認可能な複数の画像を同時に表示する
表示装置を制御する表示制御装置、表示システム、撮影表示システム、及び、表示制御方
法に関する。
【背景技術】
【０００２】
近年、家庭用・業務用を問わずテレビやモニタの大画面化が進んでおり、より臨場感の
ある画像を表示する手法が重視されるようになった。臨場感に富む表示方法としては、従
来、画像を立体的に表示するものが知られている（例えば、特許文献１参照）。特許文献
１記載の装置は、人間の両目の視差を利用して左目用及び右目用の偏光特性の異なった画
像を表示画面に表示し、観察者（ユーザ）が左目用及び右目用の偏光板を有する眼鏡を着
用することによって、立体画像を視認できるようにしている。
【特許文献１】特開平１０−１４８７９６号公報
【発明の開示】
【発明が解決しようとする課題】
【０００３】
上記従来の装置では立体的な画像を視るために専用の眼鏡を着用する必要があり、この
眼鏡を着用して準備をした人しか画像を立体的に見ることができず、意図をもたない不特
定多数の人に画像を立体的に見せることはできなかった。また、専用の眼鏡を着用すると
表示画面以外の周囲の景色等が不自然に見えてしまい、歩行等が困難であるという問題が
あった。
そこで、本発明は、専用の眼鏡を着用する等の特別な準備をしなくても、表示画面を見
た人に立体的な視覚感を与え、臨場感に富む表示を実現することを目的とする。
【課題を解決するための手段】
【０００４】
上記課題を解決するため、本発明は、複数の画像を、それぞれ異なる特定の方向からの
み視認可能なように同時に表示する表示装置に接続され、同一の表示対象を異なる視座か
ら見た複数の画像を相互に対応づけて記憶する記憶手段と、前記記憶手段に相互に対応づ
けて記憶した複数の画像を、前記表示装置により表示させる表示制御手段と、を備え、前
記表示制御手段は、複数の前記画像を、各々の前記画像の視座から前記表示対象を見た方
向と、前記表示画面に表示された各々の前記画像を前記表示画面外から視認できる方向と
が重なるように、前記表示装置により表示させること、を特徴とする表示制御装置を提供
する。
この構成によれば、複数の画像を、それぞれ異なる特定の方向からのみ視認可能なよう
に表示画面に同時に表示する表示装置において、同一の表示対象を異なる視座から見た複
数の画像が、各画像の視座から表示対象を見た方向と、表示画面に表示された各画像を表
示画面外から視認できる方向とが重なるように表示される。このため、表示画面を見る人
には、その人と表示画面との位置関係が、その人と表示対象との位置関係に一致するよう
に画像が見える。このため、表示画面の位置または表示画面の奥に実際に表示対象がある
かのような画像が見えるので、極めて立体的な視覚感を誘起し、臨場感に富む疑似表示を
行うことができる。また、同一の対象物を異なる視座から見た複数の画像を対応づけて記
憶することにより、これらの画像をまとめて効率よく処理することが可能になるため、処
理の効率化及び高速化を図ることができるという利点がある。
【０００５】
上記構成において、前記表示装置は、それぞれ水平方向に異なる特定の方向からのみ視
認可能なように複数の画像を表示画面に同時に表示するものであって、前記記憶手段は、
同一の表示対象を水平方向に異なる視座から見た複数の画像を相互に対応づけて記憶する
ものとしてもよい。
この場合、同一の表示対象を水平方向に異なる視座から見た複数の画像を、水平方向に
異なる特定の方向からのみ視認可能なように表示画面に表示するので、表示画面を見る人
には、その人と表示画面との水平方向における位置関係が、その人と表示対象との位置関
係に一致するように画像が見える。このため、表示画面の位置または表示画面の奥に実際
に表示対象があるかのような画像が見えるので、極めて立体的な視覚感を誘起し、臨場感
に富む疑似表示を行うことができる。さらに、表示装置を見る人が水平方向に移動すると
、この移動に伴って見える画像が変化するので、より一層の臨場感に富む疑似表示を行う
ことができる。
【０００６】
また、上記構成において、前記表示装置が、この前記表示装置を右方向及び左方向から
見た場合に異なる画像が視認されるよう２つの画像を同時に表示するものであり、前記表
示制御装置は、同一の表示対象を右方向及び左方向から見た２つの画像を、それぞれ、前
記表示画面を右方向及び左方向から見た場合に視認可能となるように、前記表示装置によ
り表示させるものとしてもよい。
この場合、右方向及び左方向から見た場合に異なる画像が視認されるように２つの画像
を同時に表示画面に表示する表示装置を用いて、同一の表示対象を右方向及び左方向から
見た２つの画像を、それぞれ、表示画面を右方向及び左方向から見た場合に視認可能とな
るように表示させるので、必要最小限のハードウェア資源と画像とを利用して立体的で臨
場感に富む表示を行える。
【０００７】
上記構成において、外部の記録媒体に記録された画像を読み取る読取手段と、前記読取
手段により読み取った画像が、同一の表示対象を異なる視座から見た複数の画像である場
合に、これら複数の画像を前記記憶手段に相互に対応づけて記憶させる記憶制御手段と、
を備えるものとしてもよい。
この場合、同一の表示対象を異なる視座から見た複数の画像が外部の記録媒体に記録さ
れている場合に、この記録媒体から複数の画像を読み取って、表示装置に表示させること
ができる。これにより、様々なソースから画像を取得して、立体的で臨場感に富む表示を
行える。
【０００８】
また、本発明は、複数の画像を、それぞれ異なる特定の方向からのみ視認可能に表示す
る表示装置と、前記表示装置に接続された表示制御装置と、を備えて構成され、前記表示
制御装置は、同一の表示対象を異なる視座から見た複数の画像を相互に対応づけて記憶す
る記憶手段と、前記記憶手段に相互に対応づけて記憶した複数の画像を、前記表示装置に
より表示させる表示制御手段と、を備え、前記表示制御手段は、複数の前記画像を、各々
の前記画像の視座から前記表示対象を見た方向と、前記表示画面に表示された各々の前記
画像を前記表示画面外から視認できる方向とが重なるように、前記表示装置により表示さ
せること、を特徴とする表示システムを提供する。
この構成によれば、複数の画像を、それぞれ異なる特定の方向からのみ視認可能なよう
に表示画面に同時に表示する表示装置において、同一の表示対象を異なる視座から見た複
数の画像が、各画像の視座から表示対象を見た方向と、表示画面に表示された各画像を表
示画面外から視認できる方向とが重なるように表示される。このため、表示画面を見る人
には、その人と表示画面との位置関係が、その人と表示対象との位置関係に一致するよう
に画像が見える。このため、表示画面の位置または表示画面の奥に実際に表示対象がある
かのように画像が見えるので、極めて立体的な視覚感を誘起し、臨場感に富む疑似表示を
行うことができる。
【０００９】
また、本発明は、複数の画像を、それぞれ異なる特定の方向からのみ視認可能に表示す
る表示装置と、一つの撮影対象を異なる撮影方向から撮影する撮影装置と、前記撮影装置
により撮影された撮影画像を撮影方向毎に出力する撮影制御装置と、前記撮影制御装置か
ら出力された撮影画像を取得して前記表示装置に表示させる表示制御装置と、を備え、前
記表示制御装置は、複数の前記撮影画像を、各々の前記撮影画像の撮影方向と、前記表示
画面に表示された各々の前記画像を前記表示画面外から視認できる方向とが重なるように
、前記表示装置により表示させること、を特徴とする撮影表示システムを提供する。
この構成によれば、複数の画像を、それぞれ異なる特定の方向からのみ視認可能なよう
に表示画面に同時に表示する表示装置によって、一つの撮影対象を異なる撮影方向から撮
影した複数の撮影画像が、その撮影方向と、表示画面に表示された各画像を表示画面外か
ら視認できる方向とが重なるように表示される。このため、表示画面を見る人には、その
人と表示画面との位置関係が、その人と撮影対象との位置関係に一致するように画像が見
える。このため、表示画面の位置または表示画面の奥に実際に撮影対象があるかのように
見えるので、撮影画像の表示において極めて立体的な視覚感を誘起させ、臨場感に富む疑
似表示を行うことができる。
【００１０】
また、本発明は、複数の画像を、それぞれ異なる特定の方向からのみ視認可能なように
表示画面に同時に表示する表示装置における表示制御方法であって、同一の表示対象を異
なる視座から見た複数の画像を、各々の前記画像の視座から前記表示対象を見た方向と、
前記表示画面に表示された各々の前記画像を前記表示画面外から視認できる方向とが重な
るように、前記表示装置により表示させること、を特徴とする表示制御方法を提供する。
この方法によれば、複数の画像を、それぞれ異なる特定の方向からのみ視認可能なよう
に表示画面に同時に表示する表示装置によって、同一の表示対象を異なる視座から見た複
数の画像が、各画像の視座から表示対象を見た方向と、表示画面に表示された各画像を表
示画面外から視認できる方向とが重なるように表示される。このため、表示画面を見る人
には、その人と表示画面との位置関係が、その人と表示対象との位置関係に一致するよう
に画像が見える。このため、表示画面の位置または表示画面の奥に実際に表示対象がある
かのような画像が見えるので、極めて立体的な視覚感を誘起し、臨場感に富む疑似表示を
行うことができる。
【発明の効果】
【００１１】
本発明によれば、表示画面を見る人に、表示画面の位置または表示画面の奥に実際に表
示対象があるかのような画像が見えるように表示を行って、極めて立体的な視覚感を誘起
し、臨場感に富む疑似表示を行うことができる。
【発明を実施するための最良の形態】
【００１２】
以下、図面を参照して本発明の実施形態を説明する。
［第１の実施形態］
図１は、本発明の第１の実施形態における表示システム１の構成を示す図である。
表示システム１は、同時に複数の画像を表示可能な表示装置２に、表示制御装置３を接
続して構成される。表示装置２が表示する画像は、静止画像及び動画像のいずれであって
もよく、音声出力を伴うものであってもよい。
【００１３】
表示装置２は、図１に平面視で示すように、表示装置２に向かって右側（目視方向ＥＲ
）から見た場合と、表示装置２に向かって左側（目視方向ＥＬ）から見た場合とで、異な
る画像が視認されるように、複数の画像を表示する。ここで、目視方向とは、表示装置２
の外部から表示装置２を見る視線の方向（ビューアングル）を指す。
本第１の実施形態において、表示装置２は液晶表示パネル１０（表示画面）を有する液
晶表示装置として構成され、液晶表示パネル１０と、液晶表示パネル１０の背面側から照
明するバックライト（図示略）と、を備えている。また、液晶表示パネル１０には、右用
表示画素１０Ａと左用表示画素１０Ｂとが水平方向に並べて設けられ、液晶表示パネル１
０は、右用表示画素１０Ａを通った光を目視方向ＥＲ側だけに出射させるとともに、左用
表示画素１０Ｂを通った光を目視方向ＥＬ側だけに出射させる偏光部材を備えている。こ
のため、表示装置２が、右用表示画素１０Ａのみを用いて目視方向ＥＲ用の画像を表示す
る一方、左用表示画素１０Ｂのみを用いて目視方向ＥＬ用の画像を表示することで、目視
方向ＥＲから表示装置２を見る場合と、目視方向ＥＬから表示装置２を見る場合とで、異
なる画像を見ることができる。
【００１４】
表示制御装置３は、表示装置２に対して表示用の画像に基づく映像信号を出力する。表
示システム１において、表示制御装置３は、表示装置２に立体的な画像を表示させるため
、一つの表示対象を異なる視座から見た複数の画像を、各々の画像の視座から表示対象を
向く方向と、各画像を視認できる方向とが重なるように、映像信号を出力する。より具体
的な例としては、一つの撮影対象を異なる撮影方向から撮影した複数の撮影画像を、各々
の撮影画像の撮影方向と、各撮影画像を視認できる方向とが重なるように、映像信号を出
力する。ここで、表示対象及び撮影対象は、静物及び動物を含む物、景色、空間など画像
として表示できるものであれば特に限定されない。
図２は、表示装置２における表示の様子を説明する図であり、一例として、立体図形を
表示した場合の目視方向ＥＲ及び目視方向ＥＬからの見え方を示す。図２Ａは表示対象と
しての立体図形からなる対象物の構成を示す図であり、図２Ｂは画像を目視方向ＥＲから
見た状態、図２Ｃは画像を目視方向ＥＬから見た状態を示す。
【００１５】
図２Ａに示す対象物４は、底面及び上面が直角三角形で構成された三角柱であり、正面
４Ｂは長方形である。対象物４に向かって左側から見える左側面４Ａには円形の模様が付
され、反対側の右側面４Ｃには菱形の模様が付されている。
表示システム１において、表示制御装置３が対象物４の画像を表示する場合、対象物４
を右側から見た画像を目視方向ＥＲから視認可能に表示し、対象物４を左側から見た画像
を目視方向ＥＬから視認可能に表示する。すなわち、図２Ｂに示すように、表示装置２を
目視方向ＥＲから見ると、対象物４を右側から見た画像が見え、表示装置２を目視方向Ｅ
Ｌから見れば、対象物４を左側から見た画像が見える。
従って、表示装置２を見ると、見る人の立ち位置に応じた方向から見た画像が見え、立
ち位置を変えれば、立ち位置の変化に応じて見える画像が変化する。このため、表示装置
２を見る人には、その人と表示装置２との位置関係が、その人と表示対象との位置関係と
なるように画像が見えるので、まるで液晶表示パネル１０の場所か液晶表示パネル１０の
奥に実際に表示対象があって、その表示対象を見ているかのように感じられる。このよう
に、表示システム１は、表示装置２に複数の画像を同時に表示することで、極めて立体的
な視覚感により、臨場感に富む疑似体験を実現できる。
以下、表示システム１の構成について詳細に説明する。
【００１６】
図３は、液晶表示パネル１０の概略構造を示す要部断面図であり、図４は図３中に符号
Ａで示す部分の拡大断面図であり、図５は、図３の液晶表示パネルのマトリックス配線と
ストライプ状の遮光膜の説明のための平面図である。
液晶表示パネル１０は、ガラス基板１１の表面に、半導体スイッチング素子であるＴＦ
Ｔ（図示せず）、画素電極１２、水平方向に延びる走査線１３（図５参照）、及び、鉛直
方向に延びる信号線１４をマトリックス状に配置した上に、表面が平らになるように有機
絶縁膜１５を設け、その絶縁膜１５上にＣｒ（クロム）等の金属を含む材料からなる遮光
膜１６を設けたアクティブマトリクス基板１８と、このアクティブマトリクス基板１８に
対向させて、別のガラス基板１９の表面にカラーフィルタ層２０を設け、さらにこのカラ
ーフィルタ層２０の上にＩＴＯ（Indium Tin Oxide）等からなる透明な対向電極２１を設
けたカラーフィルタ基板２３を有している。そして、アクティブマトリクス基板１８及び
カラーフィルタ基板２３を対向させた間隙に液晶２４が充填されている。
これらアクティブマトリクス基板１８及びカラーフィルタ基板２３は一体となって液晶
表示パネル１０を構成し、液晶表示パネル１０の外側の面、すなわちアクティブマトリク
ス基板１８の裏側とカラーフィルタ基板２３の表側には、それぞれ、偏光板１７及び偏光
板２２が設けられている。また、液晶表示パネル１０の内側の面、すなわち、アクティブ
マトリクス基板１８の表側とカラーフィルタ基板２３の裏側の面には、配光膜２５、２６
が形成され、これら配光膜２５、２６が対向している。配光膜２５は、アクティブマトリ
クス基板１８を構成する遮光膜１６の上に形成され、配光膜２６は、カラーフィルタ基板
２３を構成する対向電極２１の上に形成されている。
【００１７】
液晶表示パネル１０においては、広幅の信号線１４と狭幅の信号線１４’とが、左右方
向に交互に並べて配置され、各々の信号線１４、１４’の間には、右視点用画素電極１２
Ｒ１、１２Ｇ１、１２Ｂ１と左視点用画素電極１２Ｒ２、１２Ｇ２、１２Ｂ２とが配置さ
れる。その並び順は、図３及び図５に示したように、右視点用画素電極１２Ｒ１、広幅の
信号線１４、左視点用画素電極１２Ｒ２、狭幅の信号線１４’、右視点用画素電極１２Ｇ
１、広幅の信号線１４、左視点用画素電極１２Ｇ２という順になる。
信号線１４、１４’及び走査線１３は、Ａｌ（アルミニウム）／Ｍｏ（モリブデン）等
の金属を含む遮光性の導体材料で形成されるので、液晶表示パネル１０においては、少な
くとも信号線１４、１４’が下部遮光膜として機能し、信号線１４と信号線１４’との間
は光を透過させる経路となる。また、画素電極１２を覆う絶縁膜１５には、ストライプ状
の遮光膜１６が形成される。遮光膜１６には縦方向に延びるスリット状の開口部２７が形
成され、この開口部２７においてのみ光が透過可能となっている。このため、液晶表示パ
ネル１０の背面側に設けられたバックライト（図示せず）が発した光は、信号線１４、１
４’及び遮光膜１６により遮られ、信号線１４と信号線１４’との間、及び、開口部２７
を通った光のみが、液晶表示パネルの前面にいる観察者の目に入射する。
【００１８】
従って、液晶表示パネル１０においては、信号線１４、１４’とストライプ状の遮光膜
の開口部２７との相互の位置関係により、光の透過方向、すなわち指向性を制御すること
ができ、これによって、液晶表示パネル１０の前面における複数の位置から、それぞれ異
なる画像を異なる方向から同時に観察可能とすることができる。
なお、本第１の実施形態の液晶表示パネル１０は、目視方向ＥＲ（図１）及び目視方向
ＥＬ（図１）に対応する方向に向けて、２種類の画像を同時に表示する。このため、液晶
表示パネル１０の正面方向へ向かう光をブラックマトリクス２８により遮ることで、正面
方向への光漏れを防止し、目視方向ＥＲ、ＥＬから異なる画像を明瞭に視認可能としてい
る。また、狭幅の信号線１４’に重なる位置において、遮光膜１６には開口部２７を設け
てもよく設けなくてもよい。この位置に開口部を設ける場合は、液晶表示パネル１０の正
面から垂線方向に出てくる光を遮光するために、別途、カラーフィルタ層２０の対応する
位置にブラックマトリクスを設ける方がよい。
【００１９】
液晶表示パネル１０においては、広幅の信号線１４と狭幅の信号線１４’とが左右いず
れかの視点用の画素電極１２を介して交互に設けられているため、広幅の信号線１４の左
右に位置する各画素電極１２を視認できる視野角が大きくなるので、左右の別方向に位置
する観察者がそれぞれの情報を明確に視認しやすくなる。
また、液晶表示パネル１０においては、幅広の信号線１４の上に当たる絶縁膜１５の表
面にストライプ状の遮光膜１６が、信号線の幅方向の左側を幅ｗ１だけ、右側を幅ｗ２だ
け被覆するように設けられており、その他の部分は開口部２７となっている。そして、目
視方向ＥＲ、ＥＬからは、開口部２７を通して右視点用画素電極１２Ｒ１、１２Ｇ１、１
２Ｂ１又は左視点用画素電極１２Ｒ２、１２Ｇ２、１２Ｂ２を透視することで、各画素電
極により表示される画像を見ることになる。この場合、ｗ１＝ｗ２であれば、左右対称の
指向性を実現でき、また、ｗ１≠ｗ２とすれば左右非対称の指向性を実現できるため、目
視方向ＥＲ、ＥＬのバランス及び絶縁膜１５の厚みも考慮した上で、ｗ１及びｗ２を定め
ることにより開口部２７の位置及び大きさが決定される。なお、ｗ１及びｗ２の少なくと
も一方は「０」であってもかまわない。
本第１の実施形態では、表示装置２に対する相対位置すなわち目視方向ＥＲ、ＥＬと、
表示される画像における表示対象と視座との相対位置とが重なるように表示を行うため、
左右対称であることが好ましく、ｗ１＝ｗ２であることが好ましい。
また、絶縁膜１５上に設けられたストライプ状の遮光膜１６の開口部２７が狭いと透過
光量が減少して画面は暗くなるが、ブラックマトリクス２８の幅を小さくできるために、
最適な液晶表示パネルの表面と観察者の位置との間の角度を小さくできるので、最適な観
察者間の距離を短くすることができる。
【００２０】
図６は、表示システム１の機能的構成を示すブロック図である。また、図７は記憶部３
４において表示用画像３４Ｃを記憶する記憶領域の構成を模式的に示す図である。
表示システム１を構成する表示制御装置３は、例えば、パーソナルコンピュータとして
実現される。表示制御装置３は、図６に示すように、プログラムを実行して表示制御装置
３の各部を制御するＣＰＵ（Central Processing Unit）３１、ＣＰＵ３１により実行さ
れる基本制御プログラムや、この基本制御プログラムに係るデータ等を不揮発的に記憶す
るＲＯＭ（Read Only Memory）３２、ＣＰＵ３１により実行されるプログラムや当該プロ
グラムに係るデータ等を一時的に記憶するＲＡＭ（Random Access Memory）３３、各種プ
ログラム及びデータを記憶する記憶部３４、オペレータによる操作を受け付ける入力部３
５、ＣＰＵ３１により処理中のデータや処理結果等を表示する表示部３６、外部の記録媒
体からデータを読み取る記録媒体読取装置３７（読取手段）、及び、表示装置２と接続さ
れるインタフェース部３８を備え、これらの各部はバス３９により相互に接続されている
。
【００２１】
ＣＰＵ３１は、ＲＯＭ３２に記憶された基本制御プログラムを読み出して実行すること
により、表示制御装置３の各部を初期化する制御を行い、その後に記憶部３４に記憶され
た制御プログラム３４Ａを実行して、表示制御装置３の各種機能を実現する。
記憶部３４は、磁気的、光学的記録媒体または半導体記憶素子を用いた記憶装置を備え
、各種のプログラムやデータ等を不揮発的に記憶する。本第１の実施形態の記憶部３４は
、ＣＰＵ３１により実行される制御プログラム３４Ａ、画像処理プログラム３４Ｂ、及び
、表示装置２に表示される表示用画像３４Ｃを記憶している。
【００２２】
図７に例示するように、記憶部３４において表示用画像３４Ｃを記憶するための記憶領
域には、同一の表示対象を表示するための右方向の画像の画像データと、左方向の画像の
画像データとが相互に対応づけて記憶される。図７の例では、表示用画像３４Ｃとして画
像Ａ、Ｂ、Ｃの３種類の画像が記憶されており、画像Ａ、Ｂ、Ｃの各々が、対応する右方
向画像と左方向画像との２つの画像データで構成されている。
右方向画像及び左方向画像は、それぞれ、表示対象を向かって右から見た画像と左から
見た画像である。本第１の実施形態では表示用画像３４Ｃとして撮影画像を用いるので、
表示用画像３４Ｃは、撮影対象に向かって右方向から撮影した撮影画像と左方向から撮影
した撮影画像で構成される。
これらの画像を、図１に示したように、目視方向ＥＲと目視方向ＥＬに対応するよう表
示装置２によって表示すれば、目視方向ＥＲからは右方向から撮影した画像が見え、目視
方向ＥＬからは左方向から撮影した画像が見えるので、立体的な視覚感を実現できる。
ここで、表示用の画像として表示制御装置３が取得した画像が、一つの撮影方向から撮
影された一つの画像データしか含んでいない場合、記憶部３４には、表示用画像３４Ｃと
して一つの画像データのみが記憶される。この画像データは、表示装置２において、目視
方向ＥＲ、ＥＬの両方から視認可能に表示される。この場合、表示装置２は通常の表示装
置として機能する。
【００２３】
また、入力部３５は、マウスやキーボード等の入力デバイスに接続され、これらの入力
デバイスの操作を検出して、操作信号をＣＰＵ３１に出力する。
表示部３６は、ＣＰＵ３１の制御に従って、液晶表示装置（図示略）等の表示画面に各
種情報を表示する。
記録媒体読取装置３７は、ＣＤ、ＤＶＤ、或いは次世代型ＤＶＤ等の光ディスク型記録
媒体、ＭＯ等の光磁気記録媒体、磁気記録媒体、半導体記憶素子を利用した記憶装置、磁
気的記録媒体を利用した記録装置等から、プログラムやデータを読み取る装置である。記
録媒体読取装置３７は、ＣＰＵ３１の制御に従って撮影画像データを読み取り、ＣＰＵ３
１に出力する。ＣＰＵ３１は、記録媒体読取装置３７により読み取った画像データを表示
用画像３４Ｃとして記憶部３４に記憶させる。
インタフェース部３８は、信号伝送ケーブル等を介して表示装置２に接続され、ＣＰＵ
３１の制御に従って、表示装置２に対して表示信号等を送受信する。
【００２４】
この構成において、ＣＰＵ３１は、入力部３５により検出したオペレータの操作等に基
づいて、記憶部３４に記憶している表示用画像３４Ｃの中から、表示装置２に表示すべき
画像が指定された場合に、指定された画像の画像データを記憶部３４から読み出す。ここ
で、読み出した画像データが右方向と左方向との２つの画像データで構成されている場合
、ＣＰＵ３１は、これら２つの画像データを、液晶表示パネル１０が備える右用表示画素
１０Ａと左用表示画素１０Ｂとの各々に表示するための表示信号を生成して、インタフェ
ース部３８から表示装置２に出力させる。また、ＣＰＵ３１は、記憶部３４から読み出し
た画像データが一つの画像データで構成される場合には、この画像データを通常の画像と
して表示するための表示情報を生成して、インタフェース部３８を介して表示装置２に出
力する。
【００２５】
表示装置２は、表示制御装置３に接続されるインタフェース部２０１と、インタフェー
ス部２０１を介して入力された表示信号を取得する描画制御部２０２と、描画制御部２０
２に接続された描画メモリ２０３と、描画制御部２０２の制御に従って液晶表示パネル１
０を駆動する液晶駆動回路２０４と、液晶表示パネル１０とを備えている。
描画制御部２０２は、インタフェース部２０１を介して表示制御装置３から入力された
表示信号を取得し、描画メモリ２０３に一時的に記憶する。そして、描画制御部２０２は
、液晶表示パネル１０における描画タイミングに合わせて描画メモリ２０３から表示信号
を読み出し、液晶表示パネル１０における右用表示画素１０Ａ、左用表示画素１０Ｂの構
成に合わせて液晶駆動回路２０４に順次出力する。描画メモリ２０３は、描画制御部２０
２の制御に従って表示信号を一時的に記憶する。
液晶駆動回路２０４は、描画制御部２０２から入力される表示信号に従って液晶表示パ
ネル１０を駆動することにより、液晶表示パネル１０に画像を表示させる。また、液晶駆
動回路２０４は、描画制御部２０２からの表示信号の入力状態等に合わせてバックライト
（図示略）の点灯制御等を行う。
【００２６】
図８は、表示システム１の動作を示すフローチャートであり、特に、表示制御装置３の
動作を示す。この図８の動作の実行時、ＣＰＵ３１は、記憶制御手段及び表示制御手段と
して機能する。
この図８の動作は、記録媒体読取装置３７に、記録媒体がセットされ、或いは記録装置
が接続され、入力部３５等により開始の指示が入力されることで、開始される。
表示制御装置３のＣＰＵ３１は、記録媒体読取装置３７によって記録媒体または記録装
置に記録されている画像データを検索し（ステップＳ１１）、検索した画像データが撮影
方向毎の画像データを含んでいる場合は（ステップＳ１２；Ｙｅｓ）、この画像データを
読み取って、方向毎の画像データを対応づけて表示用画像３４Ｃとして記憶させる（ステ
ップＳ１３）。また、検索した画像データが撮影方向毎の画像データを含まない場合は（
ステップＳ１２；Ｎｏ）、この画像データを読み取って表示用画像３４Ｃとして記憶させ
る（ステップＳ１４）。
【００２７】
続いて、ＣＰＵ３１は、入力部３５によって表示装置２に表示する画像を指定して画像
の表示が指示されると（ステップＳ１５；Ｙｅｓ）、指定された画像を表示用画像３４Ｃ
の中から検索し（ステップＳ１６）、該当する画像が方向毎の画像データを含んでいるか
否かを判別する（ステップＳ１７）。
ここで、該当する画像が方向毎の画像データを含んでいる場合（ステップＳ１７；Ｙｅ
ｓ）、ＣＰＵ３１は、この方向毎の画像データを液晶表示パネル１０の右用表示画素１０
Ａと左用表示画素１０Ｂとに表示するための表示信号を生成して（ステップＳ１８）、こ
の表示信号を表示装置２に出力する（ステップＳ１９）。また、該当する画像が方向毎の
画像データを含んでいない場合（ステップＳ１７；Ｎｏ）、ＣＰＵ３１は、この画像デー
タに基づく表示信号を生成して（ステップＳ２０）、この表示信号を表示装置２に出力す
る（ステップＳ１９）。
【００２８】
このように、本発明の実施形態における表示システム１によれば、２つの画像を、それ
ぞれ液晶表示パネル１０の右方向（目視方向ＥＲ）及び左方向（目視方向ＥＬ）からのみ
視認可能なように、液晶表示パネル１０に同時に表示する表示装置２において、同一の表
示対象を異なる視座から見た複数の画像が、各画像の視座から表示対象を見た方向と、液
晶表示パネル１０に表示された各画像を表示装置２の外から視認できる方向とが重なるよ
うに表示される。このため、液晶表示パネル１０を見る人には、その人と液晶表示パネル
１０との位置関係が、その人と表示対象との位置関係に一致するように画像が見える。こ
のため、液晶表示パネル１０の位置または液晶表示パネル１０の奥に実際に表示対象があ
るかのような画像が見えるので、極めて立体的な視覚感を誘起し、臨場感に富む疑似表示
を行うことができる。
【００２９】
また、表示制御装置３は、外部の記録媒体に記録された画像を記録媒体読取装置３７に
より読み取って、この読み取った画像が、同一の表示対象を異なる視座から見た複数の画
像である場合に、これら複数の画像を相互に対応づけて記憶部３４に記憶するので、外部
の記録媒体を含む様々なソースから画像を取得して、立体的で臨場感に富む表示を行える
。
さらに、表示装置は、それぞれ水平方向に異なる特定の方向からのみ視認可能なように
複数の画像を液晶表示パネル１０に同時に表示するものであって、この液晶表示パネル１
０に、同一の表示対象を水平方向に異なる視座から見た複数の画像が表示されるので、液
晶表示パネル１０を見る人には、その人と液晶表示パネル１０との水平方向における位置
関係が、その人と表示対象との位置関係に一致するように画像が見える。また、液晶表示
パネル１０を見る人が水平方向に移動すると、この移動に伴って見える画像が変化する。
これにより、より一層の臨場感に富む疑似表示を行うことができる。
特に、本第１の実施形態では、目視方向ＥＲ及び目視方向ＥＬから見た場合に異なる画
像が視認されるよう２つの画像を同時に表示する表示装置２を用い、同一の表示対象を右
方向及び左方向から見た２つの画像を表示させている。つまり、必要最小限のハードウェ
ア資源と画像とを利用して立体的で臨場感に富む表示を行える。
【００３０】
このような立体的かつ臨場感に富む表示を利用すれば、例えば、遠隔医療における診察
や手術等を行うための医療用モニタ、セキュリティ監視施設、保安施設等の用途において
、表示対象物に関して、平面的な表示を行う場合に比べて格段に多くの情報を、視覚的に
表現・伝達することが可能となる。また、表示装置２の前にいる全ての人が、立体的かつ
臨場感に富む表示を見ることができるので、このような多くの情報を複数の人が容易に共
有することができるという利点がある。
【００３１】
なお、上記第１の実施形態において、表示装置２は、液晶表示パネル１０に向かって右
方向と、左方向との２方向から見た場合に異なる画像が見えるように表示を行うものとし
たが、本発明はこれに限定されるものではなく、右方向、正面、左方向の３方向の各々か
らのみ視認可能なように３つの画像を液晶表示パネル１０に同時に表示する構成としても
よい。この場合、表示制御装置３は、表示装置２に対して３つの画像を同時に表示する表
示信号を出力すればよい。ここで表示制御装置３が出力する３つの画像は、それぞれ、表
示対象を、向かって右、左、正面から見た画像とすればよい。この場合、表示装置２を見
る人と表示装置２との位置関係に応じて、見える画像が３段階に変化するので、よりリア
ルな臨場感に富む疑似表示を行える。
【００３２】
また、上記第１の実施形態において、表示用画像３４Ｃは撮影された画像に限らず、人
為的に作成された画像であってもよい。すなわち、仮想的な三次元空間において制作され
た仮想の立体を、異なる方向から見た仮想のビューを作成し、このビューを静止画像また
は動画像としたものを用いてもよい。また、１または複数の画像をもとに画像処理等を行
って、表示対象を水平方向に異なる方向から見た複数の画像を生成し、これら複数の画像
を同時に表示装置２に表示させてもよい。この場合も、立体的で臨場感に富む表示を行う
ことができる。さらに、仮想的な画像により立体的で臨場感に富む表示を行うことで、疑
似的でありながら臨場感があり、興趣性に富む表示を行える。
さらに、上記第１の実施形態において、表示制御装置３から表示装置２に出力される表
示信号は、アナログ信号であってもよいし、デジタル信号であってもよく、表示解像度は
液晶表示パネル１０の仕様等に合わせて任意に変更してよい。その他の細部構成について
も任意に変更可能であることは勿論である。
【００３３】
［第２の実施形態］
図９は、本発明の第２の実施形態における撮影システム１００の概略構成を示す図であ
り、図１０は撮影システム１００の機能的構成を示すブロック図である。
図９及び図１０に示す撮影システム１００（撮影表示システム）は、上記第１の実施形
態で説明した表示システム１に、さらに、撮影対象物７を撮影して撮影画像データを生成
する撮影制御装置５及びカメラ６（撮影装置）を備えたものであって、撮影対象物７を撮
影しながら、撮影画像をリアルタイムで表示装置２に表示するシステムである。なお、本
第２の実施形態において上記第１の実施形態と同様に構成される各部については同符号を
付して説明を省略する。
【００３４】
撮影システム１００は、表示装置２と、表示装置２に接続された表示制御装置３と、撮
影場所８に設置された各機器とを備えて構成される。撮影場所８には撮影対象物７があり
、この撮影対象物７を異なる方向から撮影する２台のカメラ６、及び、カメラ６を制御す
る撮影制御装置５が設置されている。
カメラ６のうち一方は、撮影対象物７に向かって右方向から撮影対象物７を撮影するよ
う設置される。このカメラ６の撮影方向を撮影方向ＣＲとする。また、もう一方のカメラ
６は、撮影対象物７に向かって左側から撮影対象物７を撮影するよう設置され、このカメ
ラ６の撮影方向を撮影方向ＣＬとする。
【００３５】
図１０に示すように、撮影制御装置５は、表示制御装置３のインタフェース部３８に接
続される画像出力インタフェース５１と、撮影制御装置５の各部を制御する制御部５２と
、撮影方向ＣＲから撮影を行うカメラ６に接続された右画像処理部５３と、撮影方向ＣＬ
から撮影を行うカメラ６に接続された左画像処理部５４とを備えている。
右画像処理部５３及び左画像処理部５４は、それぞれ、制御部５２の制御に従ってカメ
ラ６による撮影を行わせ、撮影画像を取得して制御部５２に出力する。制御部５２は、右
画像処理部５３から入力される右方向の撮影画像と、左画像処理部５４から入力される左
方向の撮影画像とを取得し、これらの撮影画像をもとに、右方向の撮影画像データと左方
向の撮影画像データとを生成して、画像出力インタフェース５１から表示制御装置３へ出
力する。
【００３６】
表示制御装置３のＣＰＵ３１は、インタフェース部３８を介して入力された右方向及び
左方向の撮影画像データの各々を取得して、記憶部３４またはＲＡＭ３３に一時的に記憶
するとともに、この記憶した撮影画像データをもとに表示信号を生成して、インタフェー
ス部３８から表示装置２に対して出力する。
ここで、ＣＰＵ３１は、図９に示すように、撮影方向ＣＲから撮影された撮影画像が目
視方向ＥＲから視認され、撮影方向ＣＬから撮影された撮影画像が目視方向ＥＬから視認
されるよう、表示信号を生成して表示装置２に出力する。
【００３７】
図１１は、撮影システム１００の動作を示すフローチャートであり、特に、表示制御装
置３の動作を示す。
表示制御装置３のＣＰＵ３１は、撮影開始が指示されて撮影制御装置５及びカメラ６が
動作を開始すると（ステップＳ３１）、撮影制御装置５から入力される撮影画像データが
、右方向の撮影画像データと左方向の撮影画像データとを含むものであるか否かを判別す
る（ステップＳ３２）。ここで、右方向の撮影画像データと左方向の撮影画像データとが
ある場合（ステップＳ３２；Ｙｅｓ）、ＣＰＵ３１は、撮影制御装置５から入力される画
像を合成して表示装置２に出力するよう設定を行い（ステップＳ３３）、撮影画像データ
の取得を開始する（ステップＳ３４）。一方、撮影制御装置５から入力される撮影画像デ
ータが一方向の撮影画像データしか含まない場合（ステップＳ３２；Ｎｏ）、ＣＰＵ３１
は、そのままステップＳ３４に移行する。このとき、表示制御装置３は、初期状態と同じ
ように、撮影画像データをそのまま表示装置２に表示するための表示信号を生成するよう
設定される。
【００３８】
ＣＰＵ３１は、ＲＡＭ３３または記憶部３４をバッファメモリとして使用し、撮影制御
装置５からインタフェース部３８に入力される撮影画像データをバッファメモリに一時的
に記憶する（ステップＳ３５）。このバッファメモリにはインタフェース部３８に入力さ
れる撮影画像データが順次記憶され、ＣＰＵ３１は、バッファメモリに記憶された撮影画
像データを所定長さだけ取得して、この撮影画像データを表示するための表示信号を生成
する（ステップＳ３６）。ステップＳ３６で、ＣＰＵ３１は、事前の設定に従って表示信
号を生成し、例えば、ステップＳ３４で画像を合成して表示装置２に出力するよう設定さ
れた場合には、撮影方向ＣＲから撮影した撮影画像データが目視方向ＥＲから視認され、
撮影方向ＣＬから撮影した撮影画像データが目視方向ＥＬから視認されるように、表示装
置２に表示させるための表示信号を生成する。
【００３９】
その後、ＣＰＵ３１は、生成した表示信号を表示装置２に出力して、表示装置２におい
て表示を行わせ（ステップＳ３７）、入力部３５等により動作終了の指示が入力されたか
否かを判別する（ステップＳ３８）。動作終了の指示が無ければステップＳ３５に戻って
処理を継続し、動作終了が指示された場合は、バッファメモリ内の全ての撮影画像データ
の表示が終了した後で、撮影システム１００の各部の動作を終了させて（ステップＳ３９
）、本処理を終了する。
【００４０】
以上のように、撮影システム１００によれば、撮影場所８において撮影対象物７を複数
のカメラ６によって異なる撮影方向ＣＲ、ＣＬから撮影し、複数のカメラ６により撮影さ
れた複数の撮影画像を、表示装置２において同時に表示する構成とし、表示装置２におい
ては、複数の撮影画像の撮影方向と、その撮影画像を視認可能な目視方向ＥＲ、ＥＬとが
重なるように表示する。これにより、液晶表示パネル１０を見る人には、その人と液晶表
示パネル１０との位置関係が、その人と撮影対象物７との位置関係に一致するように画像
が見えるので、液晶表示パネル１０の位置または液晶表示パネル１０の奥に実際に撮影対
象物７があるかのように見えるので、撮影画像の表示において極めて立体的な視覚感を誘
起させ、臨場感に富む疑似表示を行うことができる。そして、撮影場所８から離れた場所
に設置された表示装置２において、撮影対象物７を目の前にしたかのような臨場感に富む
表示を、ほぼリアルタイムで、或いは短いタイムラグで表示することができるので、臨場
感に富む疑似的な視覚体験を実現できる。
【００４１】
なお、上記第２の実施形態では撮影場所８の中に収まる撮影対象物７を撮影する場合に
ついて説明したが、より大きな撮影対象物や風景を複数のカメラ６により異なる方向から
撮影してもよい。また、複数のカメラ６によって、水平方向に異なる撮影方向から撮影対
象物７を撮影するものとして説明したが、カメラ６の撮影方向は任意であり、表示装置２
において同時に複数の画像を表示する場合の目視方向ＥＲ、ＥＬに合わせた方向から撮影
を行うことができればよい。
【図面の簡単な説明】
【００４２】
【図１】第１の実施形態の表示システムの概略構成を示す図である。
【図２】表示装置における表示の様子を説明する図である。
【図３】液晶表示パネルの概略構造を示す要部断面図である。
【図４】図３中に符号Ａで示す部分の拡大断面図である。
【図５】液晶表示パネルの配線の構成を示す要部平面図である。
【図６】表示システムの機能的構成を示すブロック図である。
【図７】表示用画像を記憶する記憶領域の構成を模式的に示す図である。
【図８】表示システムの動作を示すフローチャートである。
【図９】第２の実施形態における撮影システムの概略構成を示す図である。
【図１０】撮影システムの機能的構成を示すブロック図である。
【図１１】撮影システムの動作を示すフローチャートである。
【符号の説明】
【００４３】
１…表示システム、２…表示装置、３…表示制御装置、４…対象物、５…撮影制御装置
、６…カメラ（撮影装置）、７…撮影対象物、１０…液晶表示パネル（表示画面）、１０
Ａ…右用表示画素、１０Ｂ…左用表示画素、３１…ＣＰＵ（表示制御手段、記憶制御手段
）、３３…ＲＡＭ、３４…記憶部（記憶手段）、３５…入力部、３７…記録媒体読取装置
（読取手段）、３８…インタフェース部、１００…撮影システム（撮影表示システム）、
ＣＬ、ＣＲ…撮影方向、ＥＬ、ＥＲ…目視方向、ＥＲ…目視方向。
【図１】
2009186540.tif 000003
【図２】
2009186540.tif 000004
【図３】
2009186540.tif 000005
【図４】
2009186540.tif 000006
【図５】
2009186540.tif 000007
【図６】
2009186540.tif 000008
【図７】
2009186540.tif 000009
【図８】
2009186540.tif 000010
【図９】
2009186540.tif 000011
【図１０】
2009186540.tif 000012
【図１１】
2009186540.tif 000013